(57)【要約】【課題】  家庭内のどこにいても、マルチメディア情報（ラジオ、テレビ、音楽、インタネット放送等）が視聴できかつ、電話や来客との対話が可能なシステムを提供することである。【解決手段】  固定機（たとえば親機）にラジオ、テレビ、インタネット、ドアフォン受信機能を設け、移動機（たとえば子機）は携帯電話のような可搬性に富む形状とし、親機と子機との間にデジタル無線信方式を採用する。【選択図】  図１
2006005617.tif 000002
【特許請求の範囲】
【請求項１】
マイクロフォン、スピーカ、ディスプレイ、操作ボタンとともに、無線通信回路、音声、音楽映像等のマルテメディア情報や、該情報と関連した制御情報を、装置Ｂと通信するための通信制御回路を有す装置Ａと、
電話機の発呼、着呼の制御を行う発着呼制御回路、前記装置Ａとマルチメディア情報や該情報に関連した制御情報を通信するための通信制御回路、無線通信回路、記憶装置を有した装置Ｂと
からなることを特徴とするマルチメディアシステム。
【請求項２】
前記装置Ｂがマルチメディア情報の圧縮符号化・復号化回路を有することを特徴とする請求項１に記載のマルチメディアシステム。
【請求項３】
前記装置Ａがマルチメディア情報の圧縮符号化・復号化回路を有することを特徴とする請求項１に記載のマルチメディアシステム。
【請求項４】
前記装置Ｂが可搬型記憶媒体との接続機能を有することを特徴とする請求項１に記載のマルチメディアシステム。
【請求項５】
前記装置Ｂがテレビジョン電波の受信機能を有することを特徴とする請求項１に記載のマルチメディアシステム。
【請求項６】
前記装置Ｂがラジオ電波の受信機能を有することを特徴とする請求項１に記載のマルチメディアシステム。
【請求項７】
前記装置Ｂがマルチメディア情報再生装置との接続機能を有することを特徴とする請求項１に記載のマルチメディアシステム。
【請求項８】
前記装置Ｂがドアフォンを介して来客との会話機能を有することを特徴とする請求項１に記載のマルチメディアシステム。
【請求項９】
前記装置ＢがＷＷＷアクセス機能を有することを特徴とする請求項１に記載のマルチメディアシステム。
【請求項１０】
請求項１における装置Ｂの機能を備えたことを特徴とするテレビジョン装置。
【請求項１１】
請求項１における装置Ｂ機能を備えたことを特徴とするマルチメディア情報機器。
【請求項１２】
請求項１における装置Ｂの機能を備えたことを特徴とする電話機。
【発明の詳細な説明】
【技術分野】
【０００１】
本発明は、デジタル家電システム、具体的には携帯電話や腕時計形状の電子機器が家庭用電話機の子機として作動することはもちろん、音楽や映像も再生できるようにしたマルチメディアシステムに関する。
【背景技術】
【０００２】
ラジオ受信と電話機能を複合化しようという考えは特許文献１にあるが、ラジオ電波の弱いところでは聴き取りにくい問題があり、特許文献２では、ラジオ電波を直接受信しても電波が弱く聴きとりにくいときは、携帯電話会社がサービスするラジオ放送に切り替えてラジオが聴けるようにしている。これはラジオ電波よりは携帯電話の電波の方が受信しやすいことを利用しているが、携帯電話会社のサービスを利用することで、利用料が発生し、本来無料のラジオ放送を有料で聴くという違和感がある。また地上波デジタル放送では携帯電話でテレビが見れるメニューもあり、携帯電話がラジオやテレビ機能を取り込む傾向にあるが、家庭内のどこにいても（ラジオ電波の届きにくいところでも）、ラジオやテレビが容易に視聴できる技術は開示されてない。一般の電話機にラジオやテレビ機能を取り込む考えもなく、広く普及しているコードレス電話の子機で、ラジオがテレビが見れる商品や技術は開示されてない。
【０００３】
【特許文献１】特開平５−２６８１５号公報
【特許文献２】特開２００３−１６９３８０号公報
【発明の開示】
【発明が解決しようとする課題】
【０００４】
ところで、携帯ラジオは放送電波の届くところでしか聞けず、家庭内では窓際とか外界に近い場所では受信可能だが、台所や洗面所のような家庭内の奥まったところでは雑音が多くなり、聞き辛くなる。
【０００５】
一方、コードレス電話機の子機と親機との間の通信はアナログ無線方式を採用しているため、親機に設定した短縮ダイヤル情報などが子機では利用できず、使い勝手が悪いという問題がある。
【０００６】
また、ＣＤプレーヤ、ＤＶＤプレーヤ、テレビジョン等のマルチメディア情報再生装置は、家庭内で設置した場所で視聴することを前提に設計されており、家庭内の任意の場所（洗面所、庭、台所、風呂など）で視聴するには、音量をかなり上げる必要があり、一人暮らしならともかく同居人や近所には迷惑である。
【０００７】
音楽を聴いたりテレビを見ているときに電話機に着呼があると、音量を小さくするなどの手間が必要である。また庭先にいるときなどは、着呼のあったことすら気付かない場合が多い。玄関先に来客がありドアフォンで呼び出しがあった場合も同様である。トイレや入浴中に宅配便などが届けられドアフォンが鳴っても対応できないこともある。
【０００８】
携帯電話や腕時計のように小型・軽量で、家庭内のどこにいても、音楽やラジオを
聴いたり、テレビを見ることが可能で、また電話通話も可能とする製品が存在しない。
【０００９】
本発明は上記の点にかんがみてなされたもので、携帯電話や腕時計のような小型の電子機器で、音楽や映像が視聴でき、電話通話やインターフォンの機能も合わせ備えたマルチメディアシステムを提供することを目的とする。
【課題を解決するための手段】
【００１０】
上記の目的を達成するために、マイクロフォン、スピーカ、ディスプレイ、操作ボタンとともに、無線通信回路、音声、音楽映像等のマルテメディア情報や、該情報と関連した制御情報を、装置Ｂと通信するための通信制御回路を有する装置Ａと、電話機の発呼、着呼の制御を行う発着呼制御回路、前記装置Ａとマルチメディア情報や該情報に関連した制御情報を通信するための通信制御回路、無線通信回路、記憶装置を有した装置Ｂとでマルチメディアシステムを構成した。
【００１１】
さらに、請求項１に記載のマルチメディアシステムの装置Ａまたは装置Ｂのいずれか一方または両方にマルチメディア情報の圧縮符号化・復号化回路を設けてもよい。
【発明の効果】
【００１２】
子機と親機間の無線通信方式にデジタル無線方式を採用し、音楽や映像などの マルチメディア情報はもちろん、聴きたい情報のチャンネル登録・選択、短縮ダイアルのアドレス帳の登録・転送・検索などを可能にする。マルチメディア情報の再生機能と通話機能をデジタル的に複合化する。
【００１３】
家庭内で携帯電話や腕時計のような小型軽量の電子機器を持ち歩くことで、家庭内のいたるところ（庭、トイレ、風呂、洗面所、寝室など）で音楽が聴け、テレビが見られるとともに、電話通話も玄関前に来た来客との会話も可能となる。
【発明を実施するための最良の形態】
【００１４】
以下、本発明を実施するための最良の形態について、図面を参照して説明する。
【００１５】
本発明によるマルチメディアシステムは、図1に示すように利用者が携帯できる移動機（装置Ａ）１と所定の場所に設置しておく固定機（装置Ｂ）２とから構成され、移動機１と固定機２はアンテナ１００と２００を介して通信し、情報の授受および機器の制御を行う。
【００１６】
図２は移動機１としての装置Ａの構成を示しており、押しボタンによる操作部１２を備えており、この操作部１２は、一般の携帯電話と同様に、ダイアルまたは文字入力のためのテンキー部と、操作メニューの選択のために上下左右をスクロールするスクロールボタンと、スクロールして選択されたメニューを決定するための決定ボタン、それに数個の補助操作ボタンを含む。ボタン操作された内容はユーザーインタフェイス回路３を介してディスプレイ部１１で表示される。
【００１７】
ユーザーインタフェース回路１３は頻繁に利用するダイヤルやメニューを登録しておくためのメモリ領域を有している。またディスプレイ部１１は、今日の携帯電話の如くカラー液晶を使い、画面サイズは２インチ程度あればよい。
【００１８】
無線通信回路１８は、無線ＬＡＮのためのＩＥＥＥＥ８０２．１１ｂ方式やＰＨＳデジタル無線方式、あるいはＵＷＢ方式などを実行する回路で、高周波のアナログ無線回路、モデム、ＣＤＭＡ方式やＴＤＭＡ方式による信号の多重化機能、無線電波の送受信アンテナ１００が実装され、装置Ａから後述する固定機である装置Ｂへの送信時には無線送信機として作動し、装置Ｂからの無線電波を装置Ａが受信する時は無線受信機として作動する。無線通信回路１８の伝送速度は６４ＫＢＳＰ以上が必要で、３８４ＫＢＰＳでも充分であるが、１ＭＢＳＰ以上であればよりよい。伝送速度が１ＭＢＰＳ以上になると、装置Ａと装置Ｂ間で行き交うマルチメディア情報のデータ圧縮機能が必ずしも必要でなくなり、装置Ａのコスト低減、小型軽量化にさらに貢献できる。マルチメディア情報として音声・音楽のみを扱う場合には、３８４ＫＢＰＳの無線通信速度があればデータの圧縮は必ずしも必要ない。
【００１９】
無線通信回路１８の通信制御装置１７（以下、ＣＣＵという）側とのインターフェース情報はデジタルデータであり、音や映像のマルチメディア情報、アドレス帳の情報、これらの情報に関連した制御情報を含んだものである。マルチメディア情報は、周知のＭＰＥＧ４、もしくはＨ.２６４やＭＰ３等の符号化方式を利用してデータ圧縮されていることが望ましく、本実施の形態では、圧縮されているとして説明するが、装置コストの低減と無線通信回路の伝送速度を勘案し、圧縮されていなくても構わない。その場合は符号化復号化回路１６（以下、ＣＯＤＥＣという）は不要である。
【００２０】
ＣＣＵ１７は、装置Ａと装置Ｂ間で別途決められた通信プロトコル方式に基づき装置Ｂからの信号を受信するときは、受信信号からマルチメディア情報、制御情報、アドレス帳情報への分解を行い、また、装置Ａから装置Ｂへ送信するときは前記３種の情報の組み立てを行う。ＣＯＤＥＣ１６は、送信時には、マイクロフォン１５から得られた情報の圧縮符号化を行い、受信時には音声や映像信号の復号化を行い、復号化された音声信号はスピーカ１４に導かれ、映像信号はディスプレイ部１１へ導かれる。装置Ａは、図示されてないが、非使用時には、家庭用電話機の子機あるいは携帯電話の受台のように、装置Ａへ電源を供給したり充電を行う電源受台の上に置かれている。
【００２１】
次に固定機である装置Ｂの構成を図３を参照して説明する。
【００２２】
装置Ｂには、装置Ａと同様の無線通信回路２０、ＣＣＵ２１、ＣＯＤＥＣ２２のほかに、電話機の呼設定制御をおこなう電話網制御回路２３（以下、ＮＣＵという）、ＷＷＷ(World Wide Web)へアクセスしインターネットを介してラジオや音楽を聞いたり、インターネットから音楽や映像をダウンロードするためのブラウジング機能を実行するためのブラウジング回路２７（この回路はソフトウエアとしてＣＣＵに含まれてもよい）、テレビジョン電波を受信し、映像信号と音声信号に分解し出力するためのＴＶ電波受信回路２５、ラジオ電波を受信し、音声信号を出力するためのラジオ電波受信回路２６、アドレス帳データやダウンロードされた音楽や映像情報を記憶したり、装置Ａの操作メニューに応じて操作画面を記憶するためのハードディスクのような記憶装置２８（以下、ＨＤという）、記憶装置２８に接続された可搬型の記憶媒体（一般的に、ＳＤカードやメモリステイックと呼ばれているもの）が挿入されるメモリカードアダプタ２９、ドアフォンからの音声・映像信号（音声のみの場合もある）を受信し、ＴＶ信号と同様に映像と音声信号に分解するドアフォン信号受信回路２４が内蔵されている。無線通信回路２０には、移動機１と通信するためのアンテナ２００が接続されている。
【００２３】
さらに、装置Ｂには、外部接続端子として、電話機コネクタa、ＬＡＮコネクタｅ、ＣＤプレーヤなどのオーディオ機器からの音楽情報を受けるためのオーディオコネクタｆ、ＴＶアンテナ端子ｃ、ラジオアンテナ端子ｄ、玄関先に設置されたドアフォンの信号を受けるドアフォンコネクタｂが設けられている。
【００２４】
なお、ドアフォンが無線通信機能をもつ場合はドアフォンコネクタｂは不要であり、ドアフォン信号受信回路２４は無線通信機能をもった受信回路となる。またドアフォンの無線通信方式が、装置Ａと装置Ｂの間の無線通信方式、通信制御方式と同一の場合は、ドアフォンの音声映像信号はＣＣＵ２１を介してＣＯＤＥＣ２２に送られ、ドアフォン信号受信回路２４も不要になる。
【００２５】
電話機能をインタネット電話のみに限って使用する場合は上記ＮＣＵ２３は不要である。固定機２（装置Ｂ）の操作はすべて移動機１（装置Ａ）から行うようにしているので、装置Ｂには操作部はなく、固定機２の設置場所は家庭内で目に付かない場所でよく、設置場所の自由度が高い。
【００２６】
次に、上記構成の本発明によるマルチメディアにおいて、まず移動機１（装置Ａ）から電話操作をする場合の信号の流れを説明する。
【００２７】
装置Ａのディスプレイ部１１の初期画面はメニュ選択画面であり、図４に示すように、「電話」、「ラジオ」、「テレビ」、「ＣＤ」（ＣＤに限らずＭＤなど音楽を聞くためのメニュー）、「インターネット」、「メンテナンス」のいずれかを選択するためのボタンが表示されている。  電話をかける場合は、まず、「電話」を選択し決定する。するとディスプレイ部１１上に電話のアドレス帳画面（図示せず）が現れ、装置ＢのＨＤ２８内に蓄えられているアドレス帳データが装置Ｂから装置Ａに送信され、装置Ａのディスプレイ部１１に表示される。表示されたアドレスの中から電話をかけようとする相手名にカーソルを合わせ、決定ボタン（図示せず）を押すと、その操作は装置ＢのＣＣＵ２１に伝えられ、相手先の電話番号がＨＤ２８からＣＣＵ２１を介してＮＣＵ２３に伝えられ、ＮＣＵ２３は発呼を行う。
【００２８】
その後、装置Ｂと電話局との間で取り交わされる音声情報（ダイアル情報音や会話音）は、装置ＢのＣＯＤＥＣ２２で符号化され、装置ＡのＣＯＤＥＣ１６で復号化されてスピーカ１４で聞かれ、マイクロフォン１５から発する声は装置ＡのＣＯＤＥＣ１６で符号化され、装置ＢのＣＯＤＥＣ２２で復号化され、アナログ音声情報としてＮＣＵ２３を介して装置Ｂから電話局へ送られ、通常の電話による通話が行われる。このとき、通話内容を装置ＢのＣＯＤＥＣ２２からＨＤ２８に、通話と同時に接続しておくことで、通話記録を残しておくことも可能である。
【００２９】
通話の終了は、装置Ａのディスプレイ部１１に表示されている通話終了のアイコン（図示せず）を選択することにより行われる。通話終了が決定されると、その操作情報は、発呼のときと同様に装置ＢのＮＣＵ２３に伝えられ、設定されていた呼が開放される。同時に、装置Ａのディスプレイ部１１は図４に示した初期画面に戻る。
【００３０】
次にラジオ放送を聴くときの例について説明する。
【００３１】
装置Ａのディスプレイ部１１の初期画面には図４に示すように「ラジオ」のメニュがあるので、そこにカーソルを合わせ「ラジオ」を選択する（操作部１２のスクロールボタンでカーソルを「ラジオ」に合わせ決定ボタンを押す）。その後、ＮＨＫとかＴＢＳとかのラジオ放送局の名前が表示される（図示せず）ので、聴きたいラジオ局にカーソルを合わせ決定ボタンを押すと、その情報は装置ＢのＣＣＵ２１に伝えられ、ＣＣＵ２１からラジオ電波受信回路２６にその放送局の電波を受信すべく同調の指示が届き、ラジオ電波受信回路２６は選択した放送局の放送を受信する。受信されたラジオ放送はＣＯＤＥＣ２２により符号化圧縮され、アンテナ２００からアンテナ１００を介して装置Ａに届き、装置ＡでＣＯＤＥＣ１６により復号化され、スピーカ１４からラジオ放送を聴くことができる。そのとき、ディスプレイ部１１には、今聴いている放送局以外の放送局名が表示されているので（図示せず）、他の放送局の放送を聴きたければ前記と同様の操作をすればよい。
【００３２】
テレビを視聴する場合には同様の操作を行うことで、選択したチャネルの情報が、装置Ｂのテレビジョン電波受信回路２５に届き、その出力映像・音声情報がＣＯＤＥＣ２２にて圧縮符号化される。なお、デジタル方式のテレビジョン放送においては、
テレビジョン電波受信回路２５から出力される映像・音声情報はすでに圧縮符号化されているので、ＣＯＤＥＣ２２を介さずに装置Ｂから装置Ａへ転送される。装置ＡのＣＯＤＥＣ１６で、映像信号、音声信号とも復号化され、各々がディスプレイ部１１とスピーカ１４に送られ、テレビ放送を楽しむことができる。
【００３３】
次にＣＤ演奏を楽しむ場合について説明する。
【００３４】
ＣＤプレーヤに好みの音楽ＣＤをセットし、プレイ操作を行うと、ＣＤプレーヤは演奏を開始し、その音楽情報は装置Ｂのオーディオコネクタｆに届く。装置Ａのディスプレイ部１１に表示されている「ＣＤ」を選択すると、装置ＢのＣＯＤＥＣ２２は、オーディオコネクタｆに現れている信号を符号化し、装置Ａに送信する。信号の流れは、前記したラジオ電波受信回路２６の出力がオーディオ信号に変わるだけのことである。ＣＤプレーヤに曲を選択するための制御端子があれば、装置Ｂに該端子に接続できるＣＤ選曲端子を設け（図示せず）、装置Ａのディスプレイ部１１から希望の曲を選曲できる。さらにＣＤプレーヤにＣＤの全曲の曲名情報を外部に知らせる機能があれば、装置Ｂは、その情報を図示されてない別の端子を介して受け、別途定められた装置Ａ、Ｂ間の通信プロトコル方式に従ってＣＣＵ２１で全曲の曲名情報が組み立てられ、装置Ａに転送される。ディスプレイ部１１では、全曲の情報を表示し、利用者はその表示を見て希望の曲を選択することができる。
【００３５】
次にインターネット放送を聴く場合について説明する。
【００３６】
図４に示すディスプレイ部１１の初期画面で「インターネット」を選び、次いで現れてくる放送局メニュー（図示せず）を見て所望のチャネルを選択することでラジオと同様にインターネット放送を聴くことができる。なお、インターネットの放送局メニューは、装置Ａの操作ボタン部２のテンキーを用いて予め放送局のＵＲＬを登録し、自分でメニューに表示させたい局名を入力しておくと使いやすい。もちろんその都度ＵＲＬを入力してもよい。
【００３７】
インターネットから音楽や映像をダウンロードする場合は、図４に示す初期画面で「インターネット」を選んだ後に現れるダウンロードボタン（図示せず）を押すことにより、ダウンロード先のメニューが現れる（図示せず）ので、所望のものをダウンロードする。このとき、装置Ｂのブラウジング回路２７はダウンロードした音楽情報をその曲名情報とともにＨＤ２８に蓄える。
【００３８】
インターネットでダウンロードされた音楽を再生する場合は、曲名が装置Ａのディスプレイ部１１で選択され、音楽情報が装置ＢのＨＤ２８から出力され、情報はすでに圧縮符号化され蓄積されているので、装置ＢのＣＯＤＥＣ２２を介さずにＣＣＵ２１に送られる。その後の信号の流れはラジオを聴く場合と同じである。なお、音楽のダウンロードを他の装置、たとえば本装置と無関係に別のパソコンで行い、その音楽を本装置を利用して聴こうとするときは、可搬型の記憶デバイスを利用して行い、該デバイスを装置Ｂのメモリカードアダプタ２９に挿入した後ＨＤ２８に保存する方法を採ったり、あるいは装置ＢのＬＡＮコネクタeを介して装置ＢのＨＤ１８に転送してもよい。これらの操作は、装置Ａのディスプレイ部１１の初期画面に現れる「メンテナンス」ボタンを利用することにより可能である。
【００３９】
次に、音楽やラジオ、テレビを視聴しているときに電話の着信があった場合の信号の流れを説明する。
【００４０】
装置ＢのＮＣＵ２３は電話の着信を常時観察している。着信を検知すると、音楽やラジオなどの音に係わる情報の流れを一旦停止し、装置ＢのＣＣＵ２１から装置ＡのＣＣＵ１７に、電話局から送られてくる発信者の電話番号情報に基づき、誰から電話がかかってきたかの情報とともにその旨を伝える。装置ＡのＣＣＵ１７は着信音を鳴動させるため、ＣＣＵ１７（装置ＢのＣＣＵ２１でもよい）のメモリ領域あるいはユーザインタフェース回路１３に蓄えられている着信音（着信メロディでもよい）をスピーカ１４に送る。同時に「ＸＸＸ氏より着信あり」の表示が装置Ａのディスプレイ部１１に表示される（図示せず）。着信を受ける場合は前記「ＸＸＸ氏より着信あり」の下に表示される「ＹＥＳ」ボタン（図示せず）を押すことにより前記した電話による通話時の流れで通話が可能になる。この場合も通話内容を装置ＢのＨＤ２８に記録しておくことも可能である。もし、電話に出たくないなら、前記「ＹＥＳ」ボタンの下に表示される「ＮＯ」ボタン（図示せず）を押すことにより、装置Ｂは留守番電話状態になり、ＨＤ２８に蓄えられている留守中の旨のメッセージがＣＣＵ２１、ＣＯＤＥＣ２２、ＮＣＵ２３を介して相手先に届き、相手のメッセージがＮＣＵ２３、ＣＯＤＥＣ２２、ＣＣＵ２１を介してＨＤ２８に記憶される。
【００４１】
通話が終了すると自動的にもとの状態に戻る。もとの状態とは、ラジオ放送受信中なら当該放送局の放送（ＴＶ受信時も同じ）、ＨＤ２８に蓄えられている情報を楽しんでいるときは中断された直後からの再生である。
【００４２】
電話による通話時のスピーカの音量は「メンテナンス」ボタンにより通常の楽音再生時より低く設定しておくことも可能である。電話機能として、一般の電話回線を利用せずインタネット電話を利用する場合は、電話の発呼、着呼の制御はブラウジング回路２７で行われる。
【００４３】
次の応用例として、音楽、ラジオ、テレビを楽しんでいるときに来客がありドアフォンが操作されると、上述した電話の着信があった場合と同じプロセスで来客との会話を行うことができる。カメラ付きドアフォンでは、来客の映像がディスプレイ部１１に表示される。来客との会話内容もはＨＤ２８に保存しておくこともできる。これは、不審な来客者への備えとして効果的であろう。
【００４４】
次に図４の「メンテナンス」機能について説明する。
【００４５】
メンテナンス機能は一般の携帯電話が具備している初期設定や設定変更、アドレス登録や登録内容の変更を行うもので、操作手順は携帯電話と同様の方法で行う。操作部１２のテンキーを文字入力キーとして、英数字、カタカナ、ひらがな入力に使用する。日時設定、電話のアドレス帳、かかってきた相手の電話番号からアドレス帳作成、インターネットＷＷＷにアクセスするためのＵＲＬ情報の入力と登録、スピーカ音量の設定、ディスプレイ部の明るさなどの設定などを行う。音楽再生中の音量ボリュームとして、装置Aのスクロールボタンの２つ、例えば、右、左ボタンを使用することの設定もメンテナンス機能を用いて行うことや、装置Ａを目覚まし時計代わりに設定すること（指定した時刻に音楽がなるなど）や、深夜の時間帯に電話着信を許可する相手先（電話番号）を登録し。家族や親族に緊急事態が発生した場合の連絡のみを受けるようにするなど使い勝手の向上の設定など各種の設定が装置Ａの操作ボタン部１２を用いてＨＤ２８に登録しておくことが可能である。また、電話会話、来客者との会話記録をデフォルトでＨＤ２８に残すように設定したり、記録内容の再生や消去、カードアダプタ２９やブラウジング回路２７からＨＤ２８に入力されたマルチメディア情報に、自分の好みの名前をつけたり該情報を消去したりする。
【００４６】
さらに、無線通信回路１８、２０およびＣＯＰＤＥＣ１６、２２が、複数の方式（例えば、無線通信方式として、ＩＥＥＥ８０２．１１ｂとＵＷＢ、映像ＣＯＤＥＣ方式として、ＭＰＥＧ４とＨ．２６４）を実装しているときは、どの方式をデフォルト設定するかなど、操作部を一切持たない装置Ｂの内部機能の設定全般を行う。
【００４７】
上記実施例においては装置Ｂが操作部を一切持たない筐体的なものとして説明されていて、そのような商品形態は存在しようが、装置Ｂの機能が、テレビジョン受像機に組み込まれたり、あるいは、ＤＶＤ録画再生装置、ビデオテープレコーダ、ＣＤプレーヤ、ホームサーバー、ホームゲートウェアと称される次世代のデジタル家電機器などのいわゆるマルチメディア情報機器に組み込まれたりしよう。また、装置Ｂの機能はパソコンの周辺機器としても存在し得るものである。その場合、装置Ｂの機能の一部が前記マルチメディア情報機器が本来持つ機能ブロックと重複して利用されることがあろう。例えばＤＶＤ録画再生装置におけるＣＯＤＥＣやテレビジョン信号受信回路がそうである。
【００４８】
装置Ａは電話機の子機のように複数個あってもよく、例えば家族の一人一人が1つずつ所有し、それぞれに、使用者番号を付しておくことで、個々人に応じて電話アドレス帳の登録や、よく聴く音楽の登録（好みのメニュー）をしておけば、利便性をより高めることが出来る。
【００４９】
なお、図１、図２とも機能ブロックで実施例を説明しているが、実際には、コンピュータ、ＲＯＭやＲＡＭ、あるいは必要に応じて専用ＬＳＩも搭載した多くの電子機器が採用している一般的な構成で実現される。
【図面の簡単な説明】
【００５０】
【図１】本発明によるマルチメディアシステムの全体構成を示す。
【図２】本発明によるマルチメディアを構成する移動機としての装置Ａの回路構成を示す。
【図３】本発明によるマルチメディアを構成する固定機としての装置Ｂの回路構成を示す。
【図４】装置Ａのディスプレイ部に現れる操作画面の一部を示す。
【符号の説明】
【００５１】
１  移動機
１１  ディスプレイ部
１２  操作部
１３  ユーザーインタフェース回路
１４  スピーカ
１５  マイクロフォン
１６  符号化復号化回路（ＣＯＤＥＣ）
１７  通信制御部（ＣＣＵ）
１８  無線通信回路
２  固定機
２０  無線通信回路
２１  通信制御部（ＣＣＵ）
２２  符号化復号化回路（ＣＯＤＥＣ）
２３  電話網制御回路（ＮＣＵ）
２４  ドアフォン信号受信回路
２５  テレビジョン電波受信回路
２６  ラジオ電波受信回路
２７  ブラウジング回路
２８  ハードディスク（ＨＤ）
２９  メモリカードアダプタ
１００，２００  アンテナ
【図１】
2006005617.tif 000003
【図２】
2006005617.tif 000004
【図３】
2006005617.tif 000005
【図４】
2006005617.tif 000006